(57)【特許請求の範囲】
【請求項１】
繊維系断熱材を収納する本体部分および該本体部分から延出する長さ１００〜４００ｍｍ及び幅５０〜２００ｍｍのスリーブ部を備え、前記スリーブ部の先端側が開放されているプラスチックフィルム製の収納袋に収納された、繊維系断熱材の施工方法であって、
施工現場において、破損していない前記収納袋の前記スリーブ部の開放された先端側から吸引機を使用して前記断熱材を圧縮する工程、
前記圧縮した断熱材を、使用場所に詰め込む工程、及び
前記詰め込んだ断熱材を、前記収納袋をカットすることによって復元させる工程、
をこの順で含む、断熱材の施工方法。
【請求項２】
前記スリーブ部が一つのみ前記本体部分に接続されていることを特徴とする、請求項１に記載の断熱材の施工方法。
【請求項３】
前記スリーブ部は、前記略正方形または長方形の一辺の略中心に接続されていることを特徴とする、請求項１又は２に記載の断熱材の施工方法。
【請求項４】
前記プラスチックフィルムが単層、２層または３層構造を有しており、その厚さの合計が１０〜１００μｍであることを特徴とする、請求項１〜３のいずれか一項に記載の断熱材の施工方法。
【発明の詳細な説明】
【技術分野】
【０００１】
本発明は、在来工法の木造建築物において、外壁内壁間の隙間を流れる冷気を遮断するための気流止め等に使用する繊維系断熱材を収納する袋と当該袋に収納された断熱材に関する。
【背景技術】
【０００２】
在来工法の木造建築物においては、構造上、根太と床板間に隙間が存在し、そのため特に冬季には床下の冷気が壁内を通過し天井裏へ抜ける問題があった。壁内を通過する冷気は室内の暖房効率を大幅に低下させる原因となっていた。
【０００３】
そこで、冷気となる気流の発生を防ぐため、表面がポリエチレンフィルムで覆われた壁用断熱材を壁内の上部と下部に詰め込むことが一般に行われている。より詳細には、ポリエチレンフィルムでカバーされた長尺の繊維系断熱材を長さ方向で適宜切断し、二つ折りにして天井付近の外壁と間仕切壁の間、および根太、土台付近に詰め込んで気流止めとする。繊維系断熱材の６面すべてをポリエチレンで覆った「グラスロン間仕切りエース」（旭ファイバーグラス社製）等も、同様の目的で二つ折りにして施工することがあった。
【０００４】
また別法として、繊維系断熱材をポリエチレンの袋に入れ、袋の口から掃除機等の吸引装置を使用して蒲団の圧縮のように空気を抜いて薄くする方法も知られている。断熱材を薄くした状態で袋の口を縛り、薄さを維持した状態で壁内部の所定位置に詰め込む。その後カッター等でポリエチレンの袋の一部を切断し、空気を流入させることで断熱材を膨らませる。
【０００５】
さらに、特許文献１に記載される「マグ気流止め」（株式会社マグ製）のように、予めグラスウール断熱材がポリエチレンの袋に詰められ、さらに真空引きされて厚さおよび幅の両方向とも圧縮された断熱材パックも知られている。断熱材パックは施工後、カッター等でポリエチレン袋の一部を切断することで、厚み方向と幅方向の両方向に膨張して空間を塞ぐことができる。
【先行技術文献】
【特許文献】
【０００６】
【特許文献１】特開２００７−３０３２０９号公報
【発明の開示】
【発明が解決しようとする課題】
【０００７】
上記二つ折りにする理由は、建物に係る振動等によって外れてしまわないよう気流止めをしっかりと詰め込みたいためである。しかし、建物の天井付近では、上部の貫（例えば１８ｍｍ）に野縁と石膏ボードを例えば３８〜４５ｍｍ長さの釘で打ちつけることが多いため、間隙は狭く釘も飛び出ていて引っ掛かりやすい。よって二つ折りにして厚くなった断熱材を入れることができないという問題があった。また、長尺の繊維系断熱材を加工する場合、現場で所定の長さにカットしなければならないという手間があった。
【０００８】
上記グラスロン間仕切りエースを使用した場合には、この製品の大きさが３９５×４３０ｍｍであり、二つ折りにすると長さが２００ｍｍ弱と短くなるため、間隙への挿入に際して位置合わせが容易でなかった。また、二つ折りにすると折り目部分とそれ以外の部分の厚さが異なってしまうが、それが原因で、施工時の挿入が不十分であると外れてしまう心配があった。
【０００９】
一方、マグ気流止めについては、真空引きされていてコンパクトなため取り扱いやすいという利点があるが、施工前に何らかの理由で真空が解除されてしまった場合には、現場で再度脱気することができないという難点があった。一旦膨らんだ気流止めであっても壁内に挿入することはできるが作業性が大きく低下する。上記何らかの理由とは、輸送中もしくは施工現場での取り扱いによりフィルムに穴があくこと、あるいは、長期間使用せずに放置しておくことで空気が透過して膨らむことを言う。
【００１０】
また、ポリエチレンの袋に詰められたフィルム付き断熱材を、本来の用途である断熱材として使用する際にも上記と同様の課題があった。
【００１１】
本発明は、製品としてダンボール箱詰めする際には適宜圧縮することで多量の枚数を梱包でき、段ボール箱から取り出し、現場で更に吸引して薄くし、狭い箇所に入れた後に容易に膨張させることができる施工性のよい繊維系断熱材用収納袋を提供することを目的とする。
【課題を解決するための手段】
【００１２】
上記課題を解決するため、本発明に係る繊維系断熱材用収納袋は、プラスチックフィルムからなる繊維系断熱材を収納する繊維系断熱材用収納袋であって、該繊維系断熱材用収納袋は、繊維系断熱材を収納する本体部分および該本体部分から延出する長尺幅狭のスリーブ部と、を含む、前記スリーブ部の先端側は開放されており、前記スリーブ部の基端側は、前記本体部に接続されている構成である。
前記スリーブ部については、一つのみ前記本体部に接続された構成とすることができる。
前記本体部の形状としては、略正方形または長方形であり、前記繊維系断熱材を挿入する一辺が解放されている構成が考えられる。
また前記スリーブ部は、前記略正方形または長方形の本体部の一辺の略中心に接続することができ、前記繊維系断熱材を挿入する一辺は、前記スリーブ部が接続される該一辺に対向する辺とすることができる。
また、前記プラスチックフィルムは単層、２層または３層構造とすることができ、その厚さの合計は例えば１０〜１００μｍとする。
また、前記スリーブの長さは例えば１００〜４００ｍｍ、幅は例えば５０〜２００ｍｍとする。
【００１３】
また、本発明に係る断熱材は、前記した本発明に係る繊維系断熱材用収納袋の前記スリーブ部の先端側以外が密封されている収納袋に収納された構成である。
【発明の効果】
【００１４】
本発明の繊維径断熱材用収納袋は、施工現場において、一般家庭用の掃除機程度の吸引機を使用して極めて短時間で薄くすることができる。薄くした気流止め等は狭い壁内に詰め込み易い。壁内に挿入後はカッターなどでプラスチックフィルム製の袋をカットするだけで容易に厚さを復元させ壁内に充填することができる。復元後には十分な厚さを得ることができるため従来のように二つ折りにする必要がない。
【図面の簡単な説明】
【００１５】
【図１】本発明に係る繊維系断熱材用収納袋に繊維系断熱材を収納する前の状態を示す斜視図
【図２】本発明に係る繊維系断熱材用収納袋に繊維系断熱材を収納した状態を示す斜視図
【図３】同収納袋に繊維系断熱材を収納した状態を示す断面図
【図４】同収納袋に繊維系断熱材を収納し且つ掃除機のホースを挿入した状態を示す断面図
【図５】同収納袋内の空気を掃除機によって吸引した状態を示す断面図
【図６】空気を抜いた後にスリーブの部分を結んだ状態を示す断面図
【発明を実施するための最良の形態】
【００１６】
以下に本発明の実施の形態を図に基づいて詳細に説明する。実施例では繊維系断熱材を気流止めとして使用する場合を説明する。
【００１７】
本発明に係る収納袋１は、２枚のプラスチックフィルムを重ねて形成される。そして収納袋１は、グラスウールなどの繊維系断熱材Ｍを収納する本体１１と、この本体１１の一端側に連続して形成される長尺幅狭のスリーブ１２からなり、前記本体１１の後端縁１１ａ及び前記スリーブ１２の先端縁１２ａは開放され、残りの縁部は融着（シール）されている。
【００１８】
収納袋１を構成するプラスチックフィルムとしてはポリエチレンフィルムが好適である。またプラスチックフィルムは単層、２層または３層構造のいずれも好適であるが、輸送時および施工時の破損を避けるために厚さの合計は１０μｍ以上であることが好ましく、袋１内の空気を抜き出す際および空気の逆流入防止のための柔軟性を確保するために厚さ１００μｍ以下であることが望ましい。
【００１９】
さらに、前記スリーブ１２のサイズは、一般家庭用の掃除機を利用して袋内空気を吸引することを考慮して幅を５０〜２００ｍｍとし、吸引後にスリーブ１２を容易に縛ることができるよう長さは１００〜４００ｍｍとすることが望ましい。このようなサイズとすることで紐などを使わずに縛ることができ、しかも、紐などよりも縛りやすいという特徴がある。
【００２０】
繊維系断熱材Ｍの形状は施工場所に応じて適宜決めることができるが、例えば、柱−間柱あるいは間柱−間柱の間隔に合わせる。あるいは住宅、非住宅の様々な分野において、気流止めとしてばかりでなく断熱を目的とする部位に、それらに適したサイズの繊維系断熱材、フィルムを作成して用いても良い。そして収納袋１は、決定された形状の繊維系断熱材Ｍが確実に収納できる大きさに調製する。
【００２１】
具体的な使用例を説明すると、図１に示すように、収納袋本体１１の後端縁１１ａを広げ、本体１１内に繊維系断熱材Ｍを収納する。この状態を図２、３で示している。
【００２２】
次いで、適宜圧縮し本体１１の後端年１１ａを熱シールして適宜圧縮して箱詰めを行う。
【００２３】
施工現場では図４に示すようにスリーブ１２の先端縁１２ａを広げ、家庭用掃除機等の吸引パイプ２を挿入し、収納袋１内の空気を抜く。
【００２４】
収納袋１内の空気を抜くと、図５に示すように繊維系断熱材Ｍは押し潰されて、偏平になる。この後、スリーブ１２から吸引パイプ２を引き抜く。ここで、スリーブ１２は２枚のフィルムを重ねて構成されているため、吸引パイプ２を引き抜いた後も２枚のフィルムが互いに密着して収納袋１内に空気が入ることがなく、偏平状態を長時間維持する。しかしながら、何らかの原因でスリーブ１２の部分から空気が入り込むのを防止するため、図６に示すように、スリーブ１２の部分を縛ってしまうのが好ましい。
【００２５】
吸引の完了した気流止めは、根太と床板間、あるいは天井付近の外壁と間仕切壁間のような施工しにくい狭い場所であっても比較的容易に詰め込むことができる。壁内に挿入後はカッターなどでプラスチックフィルム製の袋１をカットするだけで容易に厚さを復元させ、壁内に充填することができる。
【００２６】
上記のように、本発明にあっては、施工現場において空気を吸引して薄くし、壁内に挿入した後はフィルムをカットして繊維性断熱材Ｍを膨らませることで、壁内の表面の突起物にも気流止めを密着させることができ、気流止め効果や断熱効果を高めることができる。
【００２７】
気流を止めるのは収納袋１を構成するプラスチックフィルムであり、中身である繊維性断熱材Ｍはフィルムを膨らませる素材として使用している。しかし、断熱材Ｍを使用することで断熱性能も付加されるという利点がある。
【符号の説明】
【００２８】
１…収納袋、２…吸引パイプ、 １１…収納袋本体、１１ａ…収納袋本体の後端縁、１２…スリーブ、１２ａ…スリーブの先端縁、Ｍ…繊維性断熱材。
【図１】
0005843421.tif 000002
【図２】
0005843421.tif 000003
【図３】
0005843421.tif 000004
【図４】
0005843421.tif 000005
【図５】
0005843421.tif 000006
【図６】
0005843421.tif 000007